(57)【要約】【課題】安定した開閉動作を行うことができるとともにコンパクト化及び軽量化を図ることができる蝶番を有する眼鏡枠を提供する。【解決手段】眼鏡枠（１）は、レンズ保持部２に設けられた第１コマ（２１）と、テンプル（３）に設けられた第２コマ（３１）と、前記第１コマ（２１）及び前記第２コマ（３１）を回動自在に連結する第１ネジ（４）と、前記第２コマ（３１）に設けられ、前記第１コマ（２１）と接触可能な第２ネジ（６）を有する。前記第１コマ（２１）先端部はカムであって、前記眼鏡枠の完全開放時に前記第２ネジ（６）が落ち着く第１窪み（２３）と、前記眼鏡枠の完全閉鎖時に前記第２ネジ（６）が落ち着く第２窪み（２７）と、前記第１、第２窪み（２３，２７）をつなぐ略直線部（２４，２６）と、この略直線部に途中で方向転換させる角部（２５）を有する。【選択図】図３
2018021988.tif 000002
【特許請求の範囲】
【請求項１】
眼鏡枠（１）であって、
レンズ保持部（２）と、このレンズ保持部２に設けられた第１コマ（２１）と、
テンプル（３）と、このテンプル（３）に設けられた第２コマ（３１）と、
前記第１コマ（２１）及び前記第２コマ（３１）を回動自在に連結する第１ネジ（４）と、
前記第２コマ（３１）に設けられ、前記第１コマ（２１）と接触可能な第２ネジ（６）と、
前記第１コマ（２１）先端部のカムであって、前記眼鏡枠の完全開放時に前記第２ネジ（６）が落ち着く第１窪み（２３）と、前記眼鏡枠の完全閉鎖時に前記第２ネジ（６）が落ち着く第２窪み（２７）と、前記第１、第２窪み（２３，２７）をつなぐ輪郭部分と、この輪郭部分に途中で方向転換させる角部（２５）を有するカムを有することを特徴とする眼鏡枠（１）。
【請求項２】
前記第２ネジ（６）は先端のみネジ切りされ、前記第１コマ（２１）と接触する部分はネジ切りのないピンである請求項１記載の眼鏡枠（１）。  
【請求項３】
前記第１、第２窪み（２３，２７）をつなぐ前記輪郭部分が前記角部（２５）で方向転換される２本の略直線部分（２４，２６）からなる眼鏡枠（１）。
【発明の詳細な説明】
【技術分野】
【０００１】
本発明は、眼鏡枠に関し、特に安定した開閉動作を行うことができるとともにコンパクト化及び軽量化を図ることができる蝶番を備えた眼鏡枠に関する。
【背景技術】
【０００２】
眼鏡枠の蝶番は、レンズ保持部及びテンプルにそれぞれ設けられたコマを回動軸となるネジにより連結して、テンプルを開閉可能とする。この蝶番は、ネジの締め具合によりテンプルの回動動作を調整することができ、ネジを強く締めるとコマの間の摩擦力が高まってテンプルの回動が重くなり、ネジを緩めるとテンプルの回動が軽くなる。
【０００３】
しかし、テンプルを開閉する際にコマ同士が圧接して動くため、テンプルの回動が重くなるとスムーズな開閉動作を実現することが難しく、逆にテンプルの回動が軽くなるとテンプルが不用意に動きやすくなる。その結果、テンプルを開いて装着したときやテンプルを閉じて眼鏡を保管するとき等にテンプルを安定した状態に設定することが難しくなる。また、テンプルを回動させる開閉動作を繰り返していくと、テンプルの回動に対する摩擦抵抗が次第に小さくなり、ネジの締め具合の再調整が必要になる。
【０００４】
このような蝶番の問題に対して、例えば、特許文献１では、２つの枠部分の一方に弾性付勢手段（バネ）を設けるとともに他方の枠部分にカム部材を設け、回転部材を弾性付勢手段によりカム部材に押し付けるように設定し、一方の枠部分の開閉動作の際に所定の開閉位置に安定して設定することができる眼鏡枠が記載されている。
【先行技術文献】
【特許文献】
【０００５】
【特許文献１】特開昭５９―１８８６１９号公報
【発明の概要】
【発明が解決しようとする課題】
【０００６】
上述した特許文献１では、弾性付勢手段（バネ）を蝶番に組み込んでいるため、蝶番のサイズが大きくなり、眼鏡枠の軽量化やコンパクト化が難しくなっていた。そして、眼鏡枠のデザインを検討する上で、蝶番のサイズを考慮しなければならなくなり、デザインの自由度に制約を受けていた。
【０００７】
そこで、本発明は、安定した開閉動作を行うことができるとともにコンパクト化及び軽量化を図ることができる蝶番を有する眼鏡枠を提供することを目的とする。
【課題を解決するための手段】
【０００８】
上記目的を達成する本発明の眼鏡枠１は、レンズ保持部２と、このレンズ保持部２に設けられた第１コマ２１と、テンプル３と、このテンプル３に設けられた第２コマ３１と、前記第１コマ２１及び前記第２コマ３１を回動自在に連結する第１ネジ４と、前記第２コマ３１に設けられ、前記第１コマ２１と接触可能な第２ネジ６と、前記第１コマ２１先端部のカムであって、眼鏡枠の完全開放時に前記第２ネジ６が落ち着く第１窪み２３と、眼鏡枠の完全閉鎖時に前記第２ネジ６が落ち着く第２窪み２７と、前記第１、第２窪み２３，２７をつなぐ輪郭部分と、この輪郭部分に途中で方向転換させる角部２５を有するカムを有することを特徴とする。
【０００９】
好ましくは、第２ネジ６は先端のみネジ切りされ、前記第１コマ２１と接触する部分はネジ切りのないピンである。  
【００１０】
好ましくは、前記第１、第２窪み２３，２７をつなぐ前記輪郭部分が前記角部２５で方向転換される２本の略直線部２４，２６からなる。
【発明の効果】
【００１１】
本発明によれば、テンプルは第１コマの第１窪みで安定するとともに、角部を境にして急速に閉鎖方向に移動し、第２窪みで再び安定する。このようにして、この眼鏡枠は開閉動作を安定化させることができる。しかもそのためにコマにバネを内蔵させたりしないので、蝶番のサイズを小さくすることができ、眼鏡枠の軽量化やコンパクト化につながる。
【００１２】
以下、添付の図面に基づいて、本発明の実施例を説明する。
【図面の簡単な説明】
【００１３】
【図１】本発明の実施例に係る眼鏡枠の、一部を切り欠いた同側面図である。
【図２】図１の矢示部分の拡大図である。
【図３】（ａ）は蝶番部分の展開斜視図であり、（ｂ）は同組立状態の斜視図である。
【図４】同横断面図である。
【図５】（ａ）〜（ｃ）は開閉段階の各状況を示す同平面図である。
【発明を実施するための形態】
【００１４】
図１〜５に示すように、本発明実施例の眼鏡枠１は蝶番５を有する。蝶番５は、レンズ保持部２及びテンプル３にそれぞれ設けられたコマ２１，３１を回動軸となる第１ネジ４により連結して、テンプル３を回動可能としている。
【００１５】
レンズ保持部側のコマ（以後、「第１コマ」２１という）の先端には貫通孔２２が設けられている。第１コマ２１を挟み込むようにして、テンプル側の上下コマ部（上コマ部３１ａと下コマ部３１ｂを含め、総称して「第２コマ」３１という）にも貫通孔３２ａ，３２ｂが設けられている。これら３個の貫通孔２２，３２ａ，３２ｂ（総称して「第１貫通孔」３２という）を貫いて、回動軸となる第１ネジ４が挿通される。第１ネジ４は、図３に示すように、全長にわたってネジ切りされている。
【００１６】
本実施例の眼鏡枠に特徴的なのは、第１貫通孔３２に隣接して別の第２貫通孔３３（３３ａ，３３ｂ）が設けられていることである。この第２貫通孔３３は、第２コマ３１の上下コマ部３１ａ，３１ｂを貫通するが、図４、図５に示すように、第１コマ２１の位置から外れているので、第１コマ２１は貫通しない。第２貫通孔３３には第２ネジ６が挿通される。第２ネジ６は、図２、図３に示すように、先端部分がネジ切りされていて回転不能の固定ネジであるが、大部分（後述する、第１コマ２１と接触する部分を含む）はネジ切りのないピンである。
【００１７】
図４に示すように、第１コマ２１先端は単なる楕円形ではなく、独特の輪郭形状を有するカム部材となっている。第１コマ２１の先端中央部は第１窪み２３を有し、そこからからテンプル閉鎖方向にほぼ直線状の傾斜部２４を有する。続いて角部２５で方向転換して、ほぼ直線状の急傾斜部２６となっている。最終地点直前で再び第２窪み２７となっており、これ以上は移動できない。
【００１８】
図５に示すように、第１コマ２１先端と第２ネジ４は絶えず接触しており、テンプル３の開閉に伴って、両者は接触位置を変える。
【００１９】
図５（ａ）はテンプル３の完全開放時である。このとき、第２ネジ６は第１コマ２１の始点である第１窪み２３にある。レンズ保持部２及びテンプル３の両端部２８，３４が接触する（図３）とともに、第２ネジ６が第１窪み２３にあるので、テンプル３は開放側へ行き過ぎることはない。
【００２０】
続いて、テンプル３が回動して、図５（ｂ）の位置にくると、第１コマ２１は第１コマ２１の方向転換点である角部２５に差し掛かってそこで抵抗を受ける。この角部２５を乗り越えると、一気に急傾斜部２６を駆け下りる。
【００２１】
図５（ｃ）に達すると、第２ネジ６は第１コマ２１の第２窪み２７に達し、完全に折りたたまれる。
【００２２】
すなわち、この実施例のテンプル３は第１コマ２１の第１窪み２３で安定するとともに、角部２５を境にして急速に閉鎖方向に移動し、第２窪み２７で再び安定する。このようにして、この眼鏡枠は開閉動作を安定化させることができる。しかもそのためにコマにバネを内蔵させたりしないので、蝶番のサイズを小さくすることができ、眼鏡枠の軽量化やコンパクト化につながる。
【符号の説明】
【００２３】
１     眼鏡枠
２     レンズ保持部
２１   第１コマ
２２   （第１）貫通孔
２３   第１窪み
２４   傾斜部
２５   角部
２６   急傾斜部
２７   第２窪み
２８   レンズ保持部端部
３     テンプル
３１   第２コマ
３１ａ 上コマ部
３１ｂ 下コマ部
３２(３２ａ，３２ｂ) 第１貫通孔
３３(３３ａ，３３ｂ) 第２貫通孔
３４   テンプル端部
４     第１ネジ
５     蝶番
６     第２ネジ
【図１】
2018021988.tif 000003
【図２】
2018021988.tif 000004
【図３】
2018021988.tif 000005
【図４】
2018021988.tif 000006
【図５】
2018021988.tif 000007